【手続補正書】
【提出日】平成15年9月11日(2003.9.11)
【手続補正１】
【補正対象書類名】明細書
【補正対象項目名】請求項２
【補正方法】変更
【補正の内容】
【請求項２】
前記ネットワークが、適切なシステム情報を、前記移動局に向けて広報チャンネル（BCH）内に送信し、前記システム情報が、次のパラメータ：
前記移動局が自局の署名バースト（SYNC1）を送信しなければならない時間間隔である前記第１時間間隔の値、
前記確認応答メッセージの到着の待機を中止すべき時点までの時間間隔である前記第２時間間隔の値、
前記アクセス要求メッセージ（RACH）を発行するための前記遅延の値、
前記アクセス要求メッセージ（RACH）の持続時間
の全部または一部を含み、
前記移動局が、前記システム情報を受信して自局のアクセス・パラメータを復号化して、前記自局のアクセス・パラメータの計算を回避または簡略化することを特徴とする請求項１に記載のアクセス・チャンネル・スケジューリング方法。
【手続補正２】
【補正対象書類名】明細書
【補正対象項目名】請求項３
【補正方法】変更
【補正の内容】
【請求項３】
前記CDMAシステムがさらにTDMA技術を利用し、TDMA技術によって、搬送波を前記移動局に順に割り当てて、前記移動局が、基本サブフレーム中に挿入した固定持続時間の時間スロットを作成する拡散スペクトル変調、及びその逆の動作を完結させて、前記基本サブフレームは、無制限の反復により複数のフレームを構成して、多レベルのプロトコルにおけるトラフィックまたは交換信号伝送のいずれかを担う論理チャンネルを搬送する物理チャンネルに埋め込んだマルチフレームが、規格化された動作モードに準拠して、前記システムが、特定のパイロット時間スロット（DwPTS、UpPTS）中に挿入した適切な同期バーストによる前記移動局の同期手順を採用して、同期した前記移動局は、自局の署名バースト（SYNC1）及び該署名バーストを搬送するアップリンク・パイロット時間スロット（UpPTS）を知って、さらに、前記署名バースト（SYNC1）と、前記ネットワークからの前記確認応答メッセージを搬送する前記第２構成の物理チャンネル（PFACH）との関連性、及び前記第２構成の物理チャンネルと前記第３物理チャンネル（PRACH）との関連性を知って、１つのサブフレームまたはその整数倍の持続時間を有する前記アクセス要求メッセージを送信することを特徴とする請求項１または２に記載のアクセス・チャンネル・スケジューリング方法。
【手続補正３】
【補正対象書類名】明細書
【補正対象項目名】０００８
【補正方法】変更
【補正の内容】
【０００８】
互いに異なるTSM及び3GPPの移動体に指向したBCHチャンネル（Broadcast CHannel：広報チャンネル）をネットワークが「トランスペアレント（素通し）」に使用することに対比して、上記の可能性は、Siemens Information and Communication Network S.p.A.とSiemens Aktiengesellschaftの共同名義による出願の、欧州特許出願第00830552.6号に記載されている。その請求項に記載の解決法は、現在のフレームの内容を信号化するために、受信したDwPTS（ダウンリンク・パイロット時間スロット）のQPSK変調（Quadratic Phase Shift Keying：４相位相シフト変調）を利用するものである。45°、135°、225°及び315°の位相の組み合わせを用いて、BCHの位置、及び固定の位相基準に対するインターリーブのフレーム数を示す。換言すれば、TSM及び3GPPのような２つの規格のBCHチャンネルを、物理チャンネルP-CCPCH（Primary Common Control Physical Channel：主共通制御物理チャンネル）上に時間多重して、２種類のUE（User Equipment：ユーザ装置）が独立して、適正なBCHを多重分離することができる。この利点は、２つの規格に影響を与えることなしに、同じ周波数帯を使用する２つの異なる移動体システムが共存することによるものである。


【手続補正４】
【補正対象書類名】明細書
【補正対象項目名】０００９
【補正方法】変更
【補正の内容】
【０００９】
BCHチャンネルの「トランスペアレント」な使用に結び付く本発明の解決法は、これらのチャンネルがセルについての情報を搬送して、その後の動作がこの情報に完全に依存するので、疑いもなく重要である。本願出願人の研究所で行っている研究開発は、3GPPシステムにおけるBCHチャンネルを広く利用することを可能にした。結果的には、２つの規格間の整合性に関する限りでは、他の手順を考えなければならない。例えば、移動体がネットワークにアクセスした際にのみ、移動体の出所、従って移動体がサポートされているTSMまたは3GPPモードを、ネットワークが知ることができる、ということを考慮に入れれば、少なくともネットワーク側では、その時点より前に交換されたすべての手順及びメッセージを同じままに保つべきである、ということは明らかである。これらの手順のうちの１つは、ランダムアクセス手順、あるいはRACH手順と称され、移動体が座標を交換するメッセージによってシステムにアクセスすることを可能にする。RACH手順は、移動体からネットワークへの２つの異なるアクセスに関連する２つのステップで実質的に完了する。第１のステップは、署名あるいはSYNC1バーストを移動局からランダムに送信して、単一のバースト・メッセージによる回答をネットワークから受信して、このメッセージは、移動体において次にメッセージを送信するタイミング及びパワーレベルの適正な設定を可能にする。このメッセージは、TD-SCDMA&UTRAN仕様ではFPACH（Fast Physical Access CHannel：高速アクセス物理チャンネル）、TD-SCDMA&GSM仕様ではPFACH（Physical Forward Access CHannel：転送アクセス物理チャンネル）と称する。RACH手順の第２ステップ中には、移動体がRACHメッセージをネットワークに送信して、ネットワークのサービスにアクセスする（例えばチャンネルを要求する）目的で、移動体の出所を知らせる。


【手続補正５】
【補正対象書類名】明細書
【補正対象項目名】００１７
【補正方法】変更
【補正の内容】
【００１７】
TSMモードについては、メッセージは32ビットを必要とするに過ぎず、3GPPモードについては、160ビットの平均ペイロードが必要であるものと見らるが、より大きい容量も可能である。この違いから、TSM RACHメッセージが、１つの無線サブフレーム＝5msに収まる単一バーストで、拡散係数（SF：Scaling Factor）16で、単一のリソースユニット上に搬送可能である場合には、3GPPモードの160ビットのメッセージについては、リソースユニット毎にSF＝16で２つの基本リソースユニットが必要となり、あるいは10msにわたる２つの無線サブフレームについては、SF＝8で１つのリソースユニットが必要となり得る、ということになる。もちろん異なる組み合わせも可能であり、ここではSFが異なるか、または持続時間値が異なるか、あるいはこれらの両パラメータが異なる。


【手続補正６】
【補正対象書類名】明細書
【補正対象項目名】００１８
【補正方法】変更
【補正の内容】
【００１８】
デュアル（二重）モード・セルが、一組の署名のみを有し、かつ１つのUpPCHチャンネルのみを有する、ということを考慮に入れれば、アクセス中の移動体のすべてが、そのモードにかかわらず、同じ署名を同じ物理チャンネル（UpPCH）上に送信し、このため、デュアルモードの基地局はこの時点では、送信中の移動体のモードを知らず、従って、同じFPACH確認応答メッセージ（即ち同一の内容及び大きさを有するメッセージ）で回答しなければならない、ということになる。